(57)【特許請求の範囲】
【請求項１】
電源の供給を受け、該電源が供給されると所定の手順で遊技の提供を開始する遊技制御手段と、該遊技制御手段から出力された信号に基づいて、所定の図柄表示を行う図柄制御手段とを備えた遊技機であって、
上記遊技制御手段に電源が供給されていない停電状態から電源が供給される電源供給開始状態になったことを検出する電源供給開始検出手段と、
上記電源供給開始検出手段が上記電源供給開始状態を検出した場合に、上記停電状態からの復帰中を示す停電復帰信号を出力する停電復帰信号出力手段と、
上記停電復帰信号出力手段が上記停電復帰信号を出力した場合に、上記停電状態からの復帰中を示す復帰中報知を行う停電復帰中報知手段と、
上記図柄制御手段へ出力された信号を記憶する信号記憶手段と、
上記電源供給開始検出手段が上記電源供給開始状態を検出した場合に、電源の供給が停止する直前に、上記信号記憶手段に記憶された信号が客待ち状態である待機中を表示するデモンストレーション図柄に関する信号の場合には、上記停電状態からの復帰時に、即、上記図柄制御手段に上記デモンストレーション図柄を表示させるデモンストレーション図柄表示信号を出力し、尚かつ、所定時間毎に出力するデモンストレーション図柄表示信号出力手段と
を備えたことを特徴とする遊技機。
【発明の詳細な説明】
【０００１】
【発明の属する技術分野】
本発明は、パチンコ機や回胴式遊技機などの遊技機における停電復帰の際の対応技術に関する。
【０００２】
【従来の技術】
従来、遊技機への不正を排除する目的で、遊技機の機能毎に制御装置をユニット化する傾向にあり、特に遊技を提供する機能を有する遊技制御手段を主基板にし、他をサブユニットに位置付けて、データの流れを主基板からサブユニット方向へ信号の出力を１方向化して、主基板に出来るだけ信号が入力しないようにする試みが行われている。この方式において、上記サブユニットの中でも、特に重要な賞球制御基板では、マイクロコントローラやＲＡＭのバックアップが行われ、たとえ停電があっても電源供給が復旧すると、停電の直前の状態まで戻すことが出来るため、遊技者に不利益又は違和感を与えることなく、続きの処理を継続して実行することができる。しかし、賞球制御基板以外の図柄制御基板や音声制御基板、或いは電飾制御基板などは、製造コスト又は電源基板の負担などの理由により、マイクロコントローラやＲＡＭをバックアップすることなく、停電が発生した場合は、そのまま作動を停止し、電源供給の復旧後は、新たな信号を主基板から受信して、新たな処理を実行するよう構成されていた。つまり、停電直前の状態まで完全に戻すことが出来ないのである。
【０００３】
【発明が解決しようとする課題】
ところで、上記サブユニットの中で、図柄制御基板は、信号を主基板から入力することにより、大当たり時や図柄変動時等に図柄表示装置に表示させる図柄や動画を制御する機能を有することで、興趣のある遊技を遊技者に提供するように構成されている。
【０００４】
しかしながら、上述したように停電後に新たな信号を受信することによって新たな処理を開始するのでは、図柄制御基板は、以下に示すような数々の不具合を生じ、遊技者の興趣を低下させたり、遊技機に対する不信感を抱かせてしまったりする虞があった。
【０００５】
即ち、主基板から送った信号によって、図柄制御基板が図柄や動画をどの辺まで表示したかを主基板側では、知ることが出来ないため、例えば、大当たり時や図柄変動中に停電が発生した場合、電源供給が復旧しても、停電発生直前まで表示していた図柄や動画の続きを表示させることが出来ず、結局、主基板は、停電の発生時点までに送信した信号の続きを電源供給が復旧された後でそのまま出力するだけであった。
【０００６】
このため、例えば主基板が既に待機状態の場合には、図柄制御基板に新たに出力する信号がないため、図柄制御基板は何時までも新たな図柄を表示することが出来ない状態の発生が考えられる。或いは、大当たり中に停電した場合には、大当たり遊技が終了後に、図柄や動画の表示が再開されたり、或いは、次のラウンドに進んでから、図柄や動画が再開されたりして、遊技者が違和感を感じる状況が考えられる。また、図柄の変動中に停電した場合には、変動の結果が表示されないままで、次の図柄の変動表示が開始されたり等、遊技者が前の図柄の変動結果に執着することが考えられ、この様な場合には、遊技者は遊技機に対し不信感を抱く虞がある。
【０００７】
そこで、本発明では、図柄制御基板をバックアップしなくても停電による遊技者の興趣の低下や遊技機に対する不信感等を低減することを目的とする。
【０００８】
【課題を解決するための手段及び発明の効果】
上記課題を解決するための手段として、請求項１の発明の遊技機は、電源の供給を受け、該電源が供給されると所定の手順で遊技の提供を開始する遊技制御手段と、該遊技制御手段から出力された信号に基づいて、所定の図柄表示を行う図柄制御手段とを備えた遊技機であって、上記遊技制御手段に電源が供給されていない停電状態から電源が供給される電源供給開始状態になったことを検出する電源供給開始検出手段と、上記電源供給開始検出手段が上記電源供給開始状態を検出した場合に、上記停電状態からの復帰中を示す停電復帰信号を出力する停電復帰信号出力手段と、上記停電復帰信号出力手段が上記停電復帰信号を出力した場合に、上記停電状態からの復帰中を示す復帰中報知を行う停電復帰中報知手段と、上記図柄制御手段へ出力された信号を記憶する信号記憶手段と、上記電源供給開始検出手段が上記電源供給開始状態を検出した場合に、電源の供給が停止する直前に、上記信号記憶手段に記憶された信号が客待ち状態である待機中を表示するデモンストレーション図柄に関する信号の場合には、上記停電状態からの復帰時に、即、上記図柄制御手段に上記デモンストレーション図柄を表示させるデモンストレーション図柄表示信号を出力し、尚かつ、所定時間毎に出力するデモンストレーション図柄表示信号出力手段とを備えたことを要旨とする。
【０００９】
これにより、遊技機は、電源の供給を受け、遊技制御手段が電源の供給により所定の手順で遊技の提供を開始し、図柄制御手段が遊技制御手段から出力された信号に基づいて、所定の図柄表示を行うと共に、信号記憶手段が、図柄制御手段へ出力された信号を記憶する。ここで電源が供給されなくなると、遊技制御手段から信号が出力されなくなり、図柄表示手段が遊技制御手段から出力される信号に基づく所定の図柄表示を実行しなくなる。
【００１０】
この状態で、電源の供給が行われると、電源供給開始検出手段が電源供給開始状態になったことを検出し、この電源供給開始状態の検出が行われると、停電復帰信号出力手段が停電からの復帰中を示す停電復帰信号を出力し、この停電復帰信号が出力されると停電復帰中報知手段が、停電からの復帰中を示す復帰中報知を行うと共に、デモンストレーション図柄表示信号出力手段が、デモンストレーション図柄表示信号を図柄制御手段に次々に入力することになり、図柄制御手段にデモンストレーション図柄表示信号の入力が失敗したとしても、次のデモンストレーション図柄表示信号が入力される。これにより、図柄制御手段にデモンストレーション図柄表示信号の入力が失敗したまま放置されると言うことが防止され、デモンストレーション図柄の表示が行われない状態で放置されることが防止される。
【００１１】
【００１２】
【００１３】
【００１４】
【００１５】
【００１６】
【００１７】
【００１８】
【００１９】
【００２０】
【００２１】
【００２７】
【００２８】
【００２９】
【００３０】
【００３１】
【００３２】
【００３３】
【００３４】
【００３５】
【００３６】
【００３７】
【００３８】
【発明の実施の形態】
次に発明の実施の形態を説明する。
図１は、主基板１と、図柄制御基板７と、電源基板１５との間のインタフェースに関するブロック図、図２は、遊技機５の電気制御系のブロック図を示す。
【００３９】
遊技機５は、外観の図示を省略するが遊技球が入賞口に入賞したら遊技球の賞品（賞球）を払い出すと共に、興趣のある画像や音響を出力するパチンコ遊技を提供するものであって、図２に示すように、遊技制御を行う主基板１を中心にして、以下に示すような基板等を備えている。
【００４０】
即ち、遊技機５は、詳細は省略するが主基板１と、賞球制御基板３と、図柄制御基板７と、音声制御基板９と、電飾制御基板１１と、発射制御基板１３と、電源基板１５とを備えている。
主基板１には、下記に内容を示すような入力スイッチ（入力ＳＷ）１６と、大入賞口ＳＯＬ、普通電動役物ＳＯＬなどの出力ソレノイド（出力ＳＯＬ）１８と、図柄確定回数、大当り、大入賞口などの盤用外部端子板２１と、補給球不足スイッチ（補給球不足ＳＷ）２３と、下受け皿満杯スイッチ（下受け皿満杯ＳＷ）２５とが接続されている。
【００４１】
入力ＳＷ１６は、第１種始動口ＳＷ、特定領域ＳＷ、大入賞口ＳＷ、普通図柄作動ゲートＳＷ、普通電動役物ＳＷ、普通入賞口ＳＷなどがそれぞれスイッチ信号（ＳＷ信号）を主基板１に供給する。
又、主基板１は、各種コマンドをデータ信号と、ストローブ信号とを利用して、賞球制御基板３と、図柄制御基板７と、音声制御基板９と、電飾制御基板１１とに供給することにより、詳細な説明は省略するが、概ね以下に示すような処理を行う。
【００４２】
賞球制御基板３は、データ信号と、ストローブ信号とに基づき、賞球ＳＷ３１、貸球ＳＷ３３、賞球モータ制御ＳＷ３５、賞球モータ３７、振分ＳＯＬ３９を利用して、遊技球を図示しない上皿に払い出すと共に、発射制御信号を発射制御基板１３に出力する。又、賞球制御基板３には、後述する状態表示器４６が取り付けられ、枠用外部端子板４１が接続される。枠用外部端子板４１には、賞球端子、球貸し端子、金枠開放端子、内枠開放端子が設けられ、金枠開放ＳＷ４３と、内枠開放ＳＷ４５とが接続されている。
【００４３】
図柄制御基板７は、データ信号と、ストローブ信号とによって、後述する各種コマンドを主基板１から入力して、特別図柄表示装置４７と、普通図柄表示装置４９とを利用して、詳細を後述する異常の表示と、遊技の特別図柄の表示と、普通図柄の表示と、停電復帰中の表示とを行う。
【００４４】
音声制御基板９は、データ信号と、ストローブ信号とに基づき、スピーカ５１を利用して、遊技に係わる音響を出力する。
電飾制御基板１１は、データ信号と、ストローブ信号とに基づき、ＬＥＤなどの電飾５３を利用して、文字、図柄、発光パターンなどの遊技に係わる電飾パターンを発生する。又、停電復帰中の表示を電飾パターンで表示する機能を有する。
【００４５】
発射制御基板１３は、発射制御信号を入力し、タッチプレート６１と、発射停止ＳＷ６３と、発射モータ６５とに接続され、遊技球の発射を制御する。
以上に概略を説明した主基板１と、賞球制御基板３と、図柄制御基板７と、音声制御基板９と、電飾制御基板１１と、発射制御基板１３とには、電源基板１５からのリセット信号線ＲＳＷと、電源供給線ＤＧＷ（Ａ）、（Ｂ）とが接続されている。リセット信号線ＲＳＷは、主基板１と、賞球制御基板３と、図柄制御基板７と、音声制御基板９と、電飾制御基板１１と、発射制御基板１３とを電源基板１５から一括して、リセットするためのものであって、主として、電源供給開始時の初期化に用いられる。
【００４６】
電源供給線ＤＧＷ（Ａ）は、主基板１と、賞球制御基板３とが動作するために必要な電力を供給し、電源供給線ＤＧＷ（Ｂ）は、図柄制御基板７と、音声制御基板９と、電飾制御基板１１と、発射制御基板１３とがそれぞれ動作するために必要な電力を供給する。
【００４７】
又、電源基板１５からは、停電信号線ＴＳＷと、バックアップ電源線ＢＫＷとが主基板１と、賞球制御基板３とに接続されている。
停電信号線ＴＳＷと、バックアップ電源線ＢＫＷとが供給される主基板１と、賞球制御基板３とは、共に周知のマイクロコンピュータを構成するＣＰＵ、ＲＯＭ、ＲＡＭ１７、１９を備えており、バックアップ電源線ＢＫＷは、電源供給線ＤＧＷ（Ａ）が供給する電力が低下した後もＲＡＭ１７、１９のデータを保持するために必要なバックアップ電源を供給する。ここでは、バックアップ電源線ＢＫＷに電力を供給する電源基板１５は、遊技機５に供給されていた電源が遮断されて後、２０時間以上バックアップ電源を供給する能力を有する。
【００４８】
次に、図１及び図２に基づいて、電源基板１５と、主基板１と、図柄制御基板７との間で、電源供給と信号供給とを行う構成を説明する。なお、詳細な構成の説明は省略する。
電源基板１５は、主基板１と、賞球制御基板３と、図柄制御基板７と、音声制御基板９と、電飾制御基板１１と、発射制御基板１３とに、電源供給と信号供給とを行うために、図１に示す賞球数異常復帰ＳＷ１２１と、停電信号発生回路１２３と、リセット信号（Ａ）発生回路１２５と、主基板及び賞球制御基板用電源作成回路（＋５Ｖ（Ａ）  ＋１２Ｖ（Ａ）  バックアップ電源）１２７と、リセット信号（Ｂ）発生回路１２９と、制御基板用電源作成回路（＋５Ｖ（Ｂ）  ＋１２Ｖ（Ｂ））１３１と、電源作成回路（＋３２Ｖ）１３３とを備えている。
【００４９】
賞球数異常復帰ＳＷ１２１は、遊技機５の裏側から操作可能な位置に取り付けられている押しボタンスイッチ構造であって、電源基板１５上に取り付けられている。なお、押しボタン構造に替えて、所定の鍵によって操作するキースイッチ構造としても良い。賞球数異常復帰ＳＷ１２１には、賞球数異常復帰線ＳＩＳＷが接続されている。賞球数異常復帰線ＳＩＳＷは、主基板１に接続されている。接続先の詳細に関しては、後述する。
【００５０】
停電信号発生回路１２３は、図３の電源基板１５の起動と停止のタイミングチャート、及び図４の電源基板１５の停電時のタイミングチャートに示す停電信号を出力する構成を有する。
ここでは図３又は図４に示すように、ＡＣ２４Ｖが２０ｍｓ以上供給され続け、且つ、電源＋５Ｖ（Ａ）、＋１２Ｖ（Ａ）、＋３２Ｖが正常な状態のとき、停電信号がＨｉ（高レベル）に出力される。従って、図３の「４」に示すように、ＡＣ２４Ｖの停電状態が２０ｍｓ未満のときは、停電状態と見なさない。また、図３又図４に示すように、ＡＣ２４Ｖの停電状態が２０ｍｓ以上続く場合、停電信号はＬｏｗの出力されるが、図４の「４」に示すように、前記停電信号Ｌｏｗ出力開始から、（停電処理）３００ｍｓの間にＡＣ２４Ｖが停電状態から復帰したとき、図４の「５」に示すように、（停電処理）３００ｍｓ経過後、停電信号はＨｉに出力される。
【００５１】
リセット信号（Ａ）発生回路１２５は、図３の電源基板１５の起動と停止のタイミングチャート、及び図４の電源基板１５の停電時のタイミングチャートに示すリセット信号（Ａ）を出力する構成を有する。
ここでは、図３の「３」に示すように、停電信号がＨｉ出力されてから１０ｍｓ経過後、Ｈｉ出力される。又、「８」に示すように、停電信号Ｌｏｗ出力開始から３００ｍｓ経過後Ｌｏｗ出力する。図４の「５」に示すように、停電信号Ｌｏｗ出力開始から３００ｍｓ経過後Ｌｏｗ出力する。
【００５２】
主基板及び賞球制御基板用電源作成回路（＋５Ｖ（Ａ）  ＋１２Ｖ（Ａ）  バックアップ電源）１２７は、図示しない電源用コンデンサを備え、＋５Ｖ（Ａ）
＋１２Ｖ（Ａ）電源が、ＡＣ２４Ｖがダウン後、図３の「６」、「８」に示すように、主基板１と賞球制御基板３とが停電であるとの判断を行う２０ｍｓに、停電処理を行う３００ｍｓを加えた３２０ｍｓの間、規定の電圧を保持後、自然放電によってＬｏｗ出力になる。バックアップ電源は、図３の「９」に示すように、停電復帰保証時間（電気二重層コンデンサの放電時間、約２０時間）を経過するまで、主基板１と賞球制御基板３とに、ＲＡＭ１７、１９のバックアップ電源を供給する。
【００５３】
リセット信号（Ｂ）発生回路１２９は、図３の「３」に示すように、停電信号がＨｉ出力されてから１０ｍｓ経過後、Ｈｉ出力される。又、「６」に示すように、２０ｍｓ以上の停電が発生したとき、Ｌｏｗ（低レベル）出力される。
制御基板用電源作成回路（＋５Ｖ（Ｂ）  ＋１２Ｖ（Ｂ））１３１は、図示しない電源用コンデンサを備え、ＡＣ２４Ｖがダウン後、図３の「６」、「７」に示すように、停電判定用の２０ｍｓの間、規定の電圧を保持後、自然放電によってＬｏｗ出力になる。
【００５４】
電源作成回路（＋３２Ｖ）１３３は、ＡＣ２４Ｖがダウン後、自然放電によってＬｏｗ出力になる。
電源基板１５から電源供給線ＤＧＷ（Ａ）によって、＋５Ｖ（Ａ）と、＋１２Ｖ（Ａ）と、バックアップ電源との供給を受ける主基板１は、図１に示すように、ＣＰＵ，ＲＯＭ，ＲＡＭ１７等を備えたマイクロ制御ユニット（ＭＰＵ）７１と、このＭＰＵ７１に接続されたシステムリセット回路１４１と、停電信号受信回路１４３と、賞球数異常復帰信号受信回路１４５と、ポート回路１４７と、ストローブ信号送信回路１４９と、データ信号送信回路１５０とを備えている。
【００５５】
ＭＰＵ７１は、ＲＥＳＥＴ端子１５１と、ＮＭＩ端子１５３と、ＰＯＲＴ端子１５５、１５７と、ＤＡＴＡ端子１５９とを備えている。なお、ＮＭＩ端子１５３の様に、「ＮＭＩ」の文字の上のラインである、ローイネーブルを示すラインは、図面にのみ記載し、明細書中では、記載を省略する。ＭＰＵ７１、８３の端子の説明に用いる各記号に関しては、特に説明のない限り米国ザイログ社の商標「Ｚ８０」で表示されるマイクロプロセッサーの規格に準拠する。
【００５６】
ＲＥＳＥＴ端子１５１は、リセット信号線ＲＳＷに接続されたシステムリセット回路１４１が接続されており、システムリセット回路１４１を介して、リセット信号（Ａ）を入力する。なお、ＭＰＵ７１の動作の説明に関しては、後述する。
【００５７】
ＮＭＩ端子１５３と、ＰＯＲＴ端子１５５は、停電信号線ＴＳＷに接続された停電信号受信回路１４３が接続されており、停電信号受信回路１４３を介して、停電信号を入力する。
ＰＯＲＴ端子１５７は、賞球数異常復帰線ＳＩＳＷに接続された賞球数異常復帰信号受信回路１４５が接続されており、賞球数異常復帰信号受信回路１４５を介して、賞球数異常復帰信号を入力する。
【００５８】
ＤＡＴＡ端子１５９は、ポート回路１４７を介して、ストローブ信号送信回路１４９と、データ信号送信回路１５０とにデータを出力することによって、賞球制御基板３と、図柄制御基板７と、電飾制御基板１１とを制御するためのストローブ信号と、データ信号とを出力する。ストローブ信号は、ストローブ信号線ＳＴＢＷに出力され、データ信号は、データ信号線ＤＡＴＡＷに出力される。
【００５９】
電源基板１５から電源供給線ＤＧＷ（Ａ）によって、＋５Ｖ（Ａ）と、＋１２Ｖ（Ａ）と、バックアップ電源との供給を受ける賞球制御基板３の詳細の説明は省略する。
電源基板１５から電源供給線ＤＧＷ（Ｂ）によって、＋５Ｖ（Ｂ）と、＋１２Ｖ（Ｂ）との供給を受ける図柄制御基板７は、図１に示すように、ＣＰＵ，ＲＯＭ，ＲＡＭ等を備えたマイクロ制御ユニット（ＭＰＵ）１８１と、このＭＰＵ１８１に接続されたシステムリセット回路１８４と、ストローブ信号受信回路１８５と、データ信号受信回路１８７とを備えている。
【００６０】
ＭＰＵ１８１は、ＲＥＳＥＴ端子１８９と、ＩＮＴ端子１９１と、ＰＯＲＴ端子１９３とを備えている。
ＲＥＳＥＴ端子１８９は、リセット信号線ＲＳＷに接続されたシステムリセット回路１８４が接続されており、システムリセット回路１８４を介して、リセット信号（Ｂ）を入力する。なお、ＭＰＵ１８１の動作の説明に関しては、後述する。
【００６１】
ＩＮＴ端子１９１は、ストローブ信号線ＳＴＢＷに接続されたストローブ信号受信回路１８５が接続されており、ストローブ信号受信回路１８５を介して、主基板１からストローブ信号を入力する。
ＰＯＲＴ端子１９３は、データ信号線ＤＡＴＡＷに接続されたデータ信号受信回路１８７を介して、主基板１からデータ信号を入力する。
【００６２】
電源基板１５から電源供給線ＤＧＷ（Ｂ）によって、＋５Ｖ（Ｂ）と、＋１２Ｖ（Ｂ）との供給を受ける音声制御基板９と、電飾制御基板１１との詳細の説明は省略する。
電源基板１５から電源供給線ＤＧＷ（Ｂ）によって、＋５Ｖ（Ｂ）と、＋１２Ｖ（Ｂ）と、＋３２Ｖの供給を受ける発射制御基板１３の詳細の説明は省略する。
【００６３】
図５は、電源投入時や停電復帰時に主基板１によって実行される主制御処理ルーチンのフローチャートである。この主制御処理ルーチンは、リセット信号（Ａ）のＨｉが主基板１に入力された場合に起動される。まず、ＭＰＵ７１の内蔵レジスタ設定処理を行い（Ｓ１００）、ついでＭＰＵ７１に取り付けられているＲＡＭ１７が正常であるかを判断する（Ｓ１１０）。電源の投入時は、ＲＡＭ１７が正常ではないと判断され、次にＲＡＭ１７の初期化処理を行う（Ｓ１２０）。その後、電源投入時コマンド作成を行う（Ｓ１３０）。この電源投入時コマンドは、賞球制御基板３、図柄制御基板７、音声制御基板９、電飾制御基板１１に対して、電源投入時に送り出されるもので、後述するタイマＩＮＴ処理によって、実際に出力される。この電源投入時コマンドが、賞球制御基板３、図柄制御基板７、音声制御基板９、電飾制御基板１１に出力されることで、次の様な処理が行われる。
【００６４】
賞球制御基板３は、賞球制御基板３の初期化、（作業領域の初期化）を行う。
図柄制御基板７は、表１の区間０の電源投入時に示すように、電源投入時コマンドＣ１を主基板１から入力して、表２に示すように、特別図柄表示装置４７の電源投入時の表示（図柄、背景、キャラクタなど）の指定を行う。
【００６５】
【表１】
0003879616.tif 000002
【００６６】
【表２】
0003879616.tif 000003
【００６７】
音声制御基板９は、無音の指定を行う。
電飾制御基板１１は、待機中の電飾パターンの指定を行う。
Ｓ１３０のコマンド作成後、次に内部、及び外部の全割り込み要因を許可するＩＮＴ割り込みの許可を行い（Ｓ１４０）、乱数更新処理を繰り返す（Ｓ１５０）。
【００６８】
これにより、ＩＮＴ割込が許可され、抽選用の乱数の作成が行われる。
又、Ｓ１１０の判断で、ＲＡＭ１７が正常であると判断された場合、即ち停電からの復帰時である場合には、詳細を後述するが停電復帰コマンドなどの停電復帰時コマンド作成を行い（Ｓ１６０）、停電復帰処理を実行する（Ｓ１７０）。
【００６９】
図６は、ＭＰＵ７１にてタイマＩＮＴ（２ｍｓ）が発生した場合に、主基板１によって、通常、実行されるタイマＩＮＴ処理ルーチンのフローチャートである。
まずレジスタの退避処理を行い（Ｓ２００）、次いで出力処理を行って（Ｓ２１０）、入力処理を行う（Ｓ２２０）。出力処理では、ＭＰＵ７１から外部にデータを出力する。出力処理としては、Ｓ２３０によって行われる異常検出によって、主基板１から図柄制御基板７と、電飾制御基板１１とに後述するコマンドを出力する処理やＳ２４０によって行われる通常の遊技機処理によって主基板１から図柄制御基板７に後述するコマンドを出力する処理がある。コマンドは、ストローブ信号と、データ信号とによって伝送される。入力処理では、ＭＰＵ７１の外部からデータを入力する。入力処理としては、電源基板１５に取り付けられている賞球数異常復帰ＳＷ１２１の操作状態を入力する処理がある。
【００７０】
次に異常検出、復帰処理を行い（Ｓ２３０）、通常の遊技機処理を行う（Ｓ２４０）。異常検出処理では、賞球数異常、下受け皿満杯異常、補給球不足異常、賞球ＳＷ３１の断線・短絡異常の４種類を次に示すように検出する。
賞球数異常の検出：
主基板１から賞球制御基板３に賞球のコマンドを送出するときに、賞球数を賞球カウンタに加算し、タイマー値にｘｍｓを設定する。
【００７１】
また、賞球ＳＷ３１を賞球が通過したときに賞球カウンタを通過した賞球数分減算し、タイマー値にｘｍｓを設定する。
タイマー値を減算し、タイマー値が０になった時点で賞球カウンタの値が５以上ならば賞球数異常（不足）とする。
【００７２】
また、賞球カウンタを減算し０未満になった場合も賞球数異常（超過）とする。
賞球数異常の検出時には、主基板１から図柄制御基板７に、特別図柄表示装置４７に賞球数異常の表示を指示するコマンドを３秒間隔で送出し、電飾制御基板１１に、賞球数異常の電飾パターンを表示させるコマンドを送出する。
【００７３】
下受け皿満杯異常の検出：
下受け皿満杯ＳＷ２５がＯＮのとき下受け皿満杯異常とする。
下受け皿満杯異常時に主基板１から賞球制御基板３に賞球払い出しの停止を指示するコマンドの送出と、図柄制御基板７に、特別図柄表示装置４７に下受け皿満杯異常の表示を指示するコマンドを３秒間隔で送出する。
【００７４】
補給球不足異常の検出：
補給球不足ＳＷ２３がＯＦＦのとき補給球不足異常とする。
補給球不足異常時に主基板１から賞球制御基板３に賞球払い出しの停止を指示するコマンドの送出と、図柄制御基板７に、特別図柄表示装置４７に補給球不足異常の表示を指示するコマンドを３秒間隔で送出する。
【００７５】
賞球ＳＷ３１の断線・短絡異常の検出：
賞球ＳＷ３１が１９９６ｍｓ以上ＯＮのとき賞球ＳＷ３１の断線・短絡異常とする。
賞球ＳＷ３１の断線・短絡異常時に主基板１から賞球制御基板３に賞球払い出しの停止を指示するコマンドの送出と、図柄制御基板７に、特別図柄表示装置４７に賞球ＳＷ３１の断線・短絡異常の表示を指示するコマンドを３秒間隔で送出する。
又、復帰処理では、賞球数異常の復帰、下受け皿満杯異常の復帰、補給球不足異常の復帰、賞球ＳＷ３１の断線・短絡異常の復帰の４種類を次に示すように実行する。
【００７６】
賞球数異常の復帰：
主基板１から賞球制御基板３に賞球のコマンドを送出するときに、賞球数を賞球カウンタに加算し、タイマー値にｘｍｓを設定する。
また、賞球ＳＷ３１を賞球が通過したときに賞球カウンタを通過した賞球数分減算し、タイマー値にｘｍｓを設定する。タイマー値を減算し、タイマー値が０になった時点で賞球カウンタの値が５未満で、且つ、賞球数異常中ならば賞球数異常（不足）の復帰とする。
【００７７】
また、賞球数異常（超過・不足共に）は電源投入時、又は、賞球数異常復帰信号により復帰する。賞球数異常復帰時には、主基板１から賞球制御基板３に、賞球制御基板３の初期化を指示するコマンドの送出、図柄制御基板７に、特別図柄表示装置４７に賞球数異常の非表示を指示するコマンドの送出、電飾制御基板１１に、賞球数復帰の電飾パターンを指示するコマンドの送出を行う。
【００７８】
下受け皿満杯異常の復帰：
下受け皿満杯ＳＷ２５がＯＦＦで、且つ、下受け皿満杯異常のとき下受け皿満杯異常の復帰とする。
下受け皿満杯異常復帰時に主基板１から賞球制御基板３に、賞球払い出しの開始を指示するコマンドの送出、図柄制御基板７に、下受け皿満杯異常の非表示を指示するコマンドを送出する。
【００７９】
補給数不足異常の復帰：
補給球不足ＳＷ２３がＯＮで、且つ、補給球異常中のとき補給球不足異常の復帰とする。
補給球不足異常復帰時に主基板１から賞球制御基板３に、賞球払い出しの停止解除を指示するコマンドの送出、図柄制御基板７に、特別図柄表示装置４７に補給球不足異常の非表示を指示するコマンドを送出する。
【００８０】
賞球ＳＷ３１の断線・短絡異常の復帰：
賞球ＳＷ３１がＯＦＦで、且つ、賞球ＳＷ３１の断線・短絡異常中のとき賞球ＳＷ３１の断線・短絡異常復帰をする。賞球ＳＷ３１の断線・短絡異常復帰時に主基板１から賞球制御基板３に賞球払い出しの停止解除を指示するコマンドの送出と、図柄制御基板７に、特別図柄表示装置４７に賞球ＳＷ３１の断線・短絡異常の非表示を指示するコマンドを送出する。
【００８１】
以上が、Ｓ２３０の概略説明である。
このＳ２３０の処理後、次に行われる通常の遊技機処理（Ｓ２４０）では、主基板１から賞球制御基板３と、図柄制御基板７とに、特別図柄の動作状態と、普通図柄の動作状態と、払い出しとを指示するコマンドを送出する。
【００８２】
特別図柄の動作状態の指示では、表２に示すように、客待ちデモンストレーション中（待機中（デモ中））、特別図柄の変動開始から確定までの間（特別図柄変動中、特別図柄確定中）、特別図柄の確定から初回の大入賞口の開放までの間（大当り中、初回インターバル中）、初回の大入賞口の開放から最終回の大入賞口の閉鎖までの間（大当り中、大入賞口開放中、閉鎖中）、最終回の大入賞口の閉鎖から特別図柄の変動開始までの間（大当り中、最終回インターバル中）、異常検出時の特別図柄、背景、キャラクタの動作（エラー中）を図柄制御基板７に指示する。
【００８３】
又、払い出しの指示では、賞球制御基板３に払い出し個数の指定を行う。
Ｓ２４０の通常の遊技機処理の実行後、レジスタの復帰を行い（Ｓ２５０）、次いで、本タイマＩＮＴ処理の起動による割り込み禁止を解除するＩＮＴ割り込み許可を行って（Ｓ２６０）、本タイマＩＮＴ処理ルーチンを一旦終了する。
【００８４】
図７は、主基板１のＭＰＵ７１のＮＭＩ処理ルーチンのフローチャートである。
このＮＭＩ処理ルーチンは、ＭＰＵ７１のＮＭＩ端子（Ｌｏｗイネーブル）１５３に電源基板１５から出力された停電信号のＬｏｗレベルが入力すると、起動される。
【００８５】
まず、レジスタの退避を行い（Ｓ３００）、次いでＰＯＲＴ端子１５５に入力した停電信号がＬｏｗレベルであるかを判断する（Ｓ３１０）。もし、停電信号がＬｏｗレベルでなければ、ノイズの混入であると判断して、レジスタの復帰を行って（Ｓ３２０）、本ＮＭＩ処理をそのまま一旦終了する。
【００８６】
一方、停電信号がＬｏｗレベルであれば（Ｓ３１０）、次に、１ｍｓ経過したかを判断し（Ｓ３１５）、１ｍｓ経過するまで、停電信号がＬｏｗレベルであるかの判断（Ｓ３１０）を繰り返す。なお、Ｓ３１５では、１ｍｓ経過したかを判断しているが、これは１ｍｓに限定するものではなく、他の処理に支障のない範囲で適宜変更するものであっても良い。この結果、１ｍｓの間、Ｌｏｗ状態が継続されていれば、実際に電圧が低下していると判断して、まずスタックポインタの退避を行い（Ｓ３３０）、次いで約２ｍｓ経過を待って（Ｓ３４０）、約２ｍｓ経過したら、賞球ＳＷ３１監視処理を行う（Ｓ３５０）。約２ｍｓ経過を待つことで、図６のタイマＩＮＴ処理によって入力された賞球ＳＷ３１のデータが、誤りなく入力され、記憶される。この賞球ＳＷ３１監視処理は、２９０ｍｓ以上経過するまで行う（Ｓ３６０）。ここで、停電信号のＬｏｗが入力されてから通過する賞球を監視するために、２９０ｍｓ間としたのは、賞球制御基板３に停電信号のＬｏｗが入力されると同時に払い出された賞球が賞球ＳＷ３１を通過するまでに、最大約１７０ｍｓ程度要するためである。
【００８７】
賞球ＳＷ３１監視処理を２９０ｍｓ行った後、ＲＡＭ１７のアクセスの禁止状態に移行する（Ｓ３７０）。このＲＡＭ１７のアクセスの禁止状態になることで、ＲＡＭ１７に記憶されたデータが変更されることが禁止される。
ここで、主基板１への＋５Ｖ（Ａ）と、＋１２Ｖ（Ａ）とによる電源供給が停止状態になって、ＭＰＵ７１がストップ状態に移行する。ＲＡＭ１７は、バックアップ電源によって記憶内容が保持されている。
【００８８】
ここでＲＡＭ１７にバックアップされ記憶内容が保存される情報としては、図柄制御基板７へ出力したコマンドと、これから出力するコマンドがある。保存する量は、停電からの復帰時に特別図柄表示装置４７に表示する内容に依って決定される。例えば、停電からの復帰時に、大当りゲームの表示内容を最初から再現する場合には、これを再現する範囲、又は期間、つまり大当りゲームの最初に表示した図柄の情報から、大当りゲームが終了するときに表示する情報までの範囲、又は期間のデータを記憶する。また、例えば停電からの復帰時に単に大当りゲームのラウンド数だけ表示するする場合には、大当りゲーム中であることの情報と、ラウンド数の情報を記憶する。
【００８９】
このＭＰＵ７１がストップ状態に移行して、ＭＰＵ７１の停電処理が完了するまで、電源供給線ＤＧＷ（Ａ）よる＋５Ｖ（Ａ）と、＋１２Ｖ（Ａ）との電源供給が確保されている。この後、電源供給線ＤＧＷ（Ａ）からの電源が遮断された後もバックアップ電源線ＢＫＷから供給されたバックアップ電源によって、記憶内容が２０時間以上保持される。
【００９０】
停電状態から、電源が復帰した場合の処理を、既述した図５の主制御処理ルーチンのフローチャートに基づいて説明する。
この主制御処理は、ＭＰＵ７１のＲＥＳＥＴ端子１５１に電源基板１５から出力されたリセット信号がシステムリセット回路１４１を経由して入力すると、起動される。リセット信号は、停電状態であった電源基板１５に電源が供給されたときに、出力される。
【００９１】
主制御処理が起動されると、既述したように、まず、内蔵レジスタ設定処理を行い（Ｓ１００）、次いでＲＡＭ１７が正常かを判断し（Ｓ１１０）、ＲＡＭ１７が正常ではない場合、ここでは始業時などのように、ＲＡＭ１７に何等データが記憶されていない場合には、既述した初期化処理を行う（Ｓ１２０ないしＳ１４０）。説明は省略する。
【００９２】
又、ＲＡＭ１７が正常である場合（Ｓ１１０）、ここでは図７のＮＭＩ処理によって、Ｓ３７０のＲＡＭ１７のアクセスの禁止が行なわれ、ＲＡＭ１７の記憶内容が保持されている場合には、次に既述した停電復帰時コマンド作成処理（Ｓ１６０）を行い、次いで停電復帰処理を行う（Ｓ１７０）。停電復帰処理の詳細な図示は省略するが、ＲＡＭ１７に記憶された現況のデータに基づいて、停電発生時点の処理の続きの制御を行う。例えば、詳細を後述する停電復帰中であることの報知や表示を行ったり、賞球の未払い出し分を払い出したり、大当り遊技の続きを行う。
【００９３】
以上に説明したように主基板１は、停電の発生時に賞球ＳＷ３１の検出値などの入力データなどを漏らすことなく読み込んで、正常な状態で改変されることなくＲＡＭ１７に格納するまで、作動する。又、停電中は記憶したデータをバックアップ電源で保持して失われることを防止し、電源が復帰した場合には、停電の直前の状態に遊技機５の状態を復帰させると共に、停電からの復帰中であることを報知する。従って、主基板１は、停電が発生しても停電から復帰すれば遊技客に不安感を与えることなく停電の発生前の状態に復帰して、遊技を継続する。
【００９４】
図柄制御基板７は、電源供給線ＤＧＷ（Ｂ）によって、＋５Ｖ（Ｂ）と、＋１２Ｖ（Ｂ）との電源供給を受けており、遊技機５へのＡＣ２４Ｖの電源供給が停止した場合には、制御基板用電源作成回路（＋５Ｖ（Ｂ）  ＋１２Ｖ（Ｂ））１３１が自然放電によってＬｏｗ出力になるのに伴って、作動を停止し、図柄表示を停止する。
【００９５】
作動を停止した状態から、遊技機５へのＡＣ２４Ｖの電源供給が再開すると、制御基板用電源作成回路（＋５Ｖ（Ｂ）  ＋１２Ｖ（Ｂ））１３１から電源の供給を受け、後述するように所定の手順で再び画像の表示を行う。
図柄制御基板７は、主基板１から受信した表１に示すコマンド（Ｃ１〜Ｃ１３）、停電復帰コマンド、確率表示コマンド、及びその他のコマンドに基づいて、特別図柄表示装置４７に所定の特別図柄と、背景と、キャラクタとを表示する。
【００９６】
ここでは、主基板１から受信した表１に示すコマンド、即ち電源投入時コマンドＣ１、デモ画面表示コマンドＣ２、変動パターンコマンドＣ３、左図柄表示コマンドＣ４、右図柄表示コマンドＣ５、中図柄表示コマンドＣ６、図柄確定表示コマンドＣ７、大当り開始インターバルコマンドＣ８、大入賞開放時コマンドＣ９、大当り図柄表示コマンドＣ１０、Ｖ表示コマンドＣ１１、ラウンド間インターバルコマンドＣ１２、及び大当り終了インターバルコマンドＣ１３に応じて、以下に示す処理を実行する。
【００９７】
電源投入時コマンドＣ１を入力した場合には特別図柄表示装置４７に区間０として分類される電源投入時の表示、デモ画面表示コマンドＣ２を入力した場合には特別図柄表示装置４７に区間１として分類される待機中（デモ中）の表示、変動パターンコマンドＣ３、左図柄表示コマンドＣ４、右図柄表示コマンドＣ５、中図柄表示コマンドＣ６、図柄確定表示コマンドＣ７を入力した場合には特別図柄表示装置４７に区間２として分類される図柄変動中及び図柄確定中の表示、大当り開始インターバルコマンドＣ８を入力した場合には特別図柄表示装置４７に区間３として分類される大当り開始インターバル中の表示、大入賞開放時コマンドＣ９、大当り図柄表示コマンドＣ１０、Ｖ表示コマンドＣ１１、ラウンド間インターバルコマンドＣ１２を入力した場合には特別図柄表示装置４７に区間４として分類される大当り中の表示、大当り終了インターバルコマンドＣ１３を入力した場合には特別図柄表示装置４７に区間５として分類される大当り終了インターバル中の表示を行う。又、これらの処理と共に、既述したように賞球数異常の表示、下受け皿満杯異常の表示、補給数不足異常の表示、賞球ＳＷ３１の断線・短絡異常の表示、賞球数異常の非表示、下受け皿満杯異常の非表示、補給数不足異常の非表示、賞球ＳＷ３１の断線・短絡異常の非表示、停電復帰の表示を行い、普通図柄表示装置４９に電源投入時の表示、変動パターンの表示を行う。また、停電復帰コマンドを入力した場合には、詳細を後述するように特別図柄表示装置４７に、キャラクタによって「停電復帰中」と表示し、確率表示コマンドを入力した場合には、特別図柄表示装置４７の背景色によって、低確率か、高確率かの別を表示する。
【００９８】
この様に表１に示したコマンド、及びその他のコマンドを入力することによって表示が行われる特別図柄表示装置４７は、通常時は、その入力したコマンドに基づいて、表２に示すような態様に特別図柄と、背景と、キャラクタとが表示される。
【００９９】
表１に基づいて説明した区間０〜区間５におけるコマンドの遷移を図８のコマンドの遷移図に示す。図８のコマンドの遷移図では、コマンドを丸印３０１で表現し、表示が完全に復帰するコマンドを二重丸印３０３で示し、表示の一部が復帰するコマンドを破線丸印３０５で示す。また、停電検出及び復帰タイミングを菱形印３０７で示す。
【０１００】
このコマンドの遷移図に示すように、区間０、区間１、区間３、及び区間５は、二重丸印３０３によって示される電源投入時コマンドＣ１、デモ画面表示コマンドＣ２、大当り開始インターバルコマンドＣ８、又は大当り終了インターバルコマンドＣ１３が各々１個だけで、図柄表示を完成する。従って、二重丸印３０３によって示される区間０、区間１、区間３、及び区間５は、コマンドが１個入力するだけで表示が完全に復帰する。
【０１０１】
複数のコマンドが入力される区間２と、区間４とは、入力されるコマンドによって、表示が完全に復帰したり、一部が復帰する場合もある。区間２では、変動パターンコマンドＣ３と、図柄確定表示コマンドＣ７とを入力した場合に表示が完全に復帰し、区間４では、大入賞開放時コマンドＣ９、大当り図柄表示コマンドＣ１０、Ｖ表示コマンドＣ１１を入力した場合に、表示の一部が復帰し、ラウンド間インターバルコマンドＣ１２を入力した場合に表示が完全に復帰する。
【０１０２】
菱形印３０７で示す停電検出及び復帰タイミングは、Ｄ１〜Ｄ１５まで有り、Ｄ１は、区間０の電源投入時コマンドＣ１が出力されてから、区間１のデモ画面表示コマンドＣ２が出力されるまでに停電が検出され、この検出されたタイミングに基づいて停電から復帰するタイミングを決定し、Ｄ２は、区間１のデモ画面表示コマンドＣ２が出力されてから、区間２の変動パターンコマンドＣ３が出力されるまで停電が検出され、この検出されたタイミングに基づいて停電から復帰するタイミングを決定し、以下同様の表現を省略して記す。Ｄ３は、区間２の図柄確定表示コマンドＣ７から区間１のデモ画面表示コマンドＣ２の間の処理を示す。Ｄ４は、変動パターンコマンドＣ３から左図柄表示コマンドＣ４の間、Ｄ５は、左図柄表示コマンドＣ４から右図柄表示コマンドＣ５の間、Ｄ６は、右図柄表示コマンドＣ５から中図柄表示コマンドＣ６の間、Ｄ７は、中図柄表示コマンドＣ６から図柄確定表示コマンドＣ７の間の処理を示し、これらＤ４〜Ｄ７は、区間２で行われる処理を示す。Ｄ８は、区間２の図柄確定表示コマンドＣ７から区間３の大当り開始インターバルコマンドＣ８の間の処理を示し、Ｄ９は、区間３の大当り開始インターバルコマンドＣ８から区間４の大入賞開放時コマンドＣ９の間の処理を示す。Ｄ１０は、大入賞開放時コマンドＣ９から大当り図柄表示コマンドＣ１０の間の処理を示し、Ｄ１１は、大当り図柄表示コマンドＣ１０からＶ表示コマンドＣ１１の間の処理を示し、Ｄ１２は、Ｖ表示コマンドＣ１１からラウンド間インターバルコマンドＣ１２の処理を示し、Ｄ１３は、大当り図柄表示コマンドＣ１０からラウンド間インターバルコマンドＣ１２の処理を示し、これらＤ１０〜Ｄ１３は、区間４で行われる処理を示す。Ｄ１４は、区間４のラウンド間インターバルコマンドＣ１２から大入賞開放時コマンドＣ９の間、又は区間５の大当り終了インターバルコマンドＣ１３の間の処理を示し、Ｄ１５は、区間５の大当り終了インターバルコマンドＣ１３から区間２の変動パターンコマンドＣ３の間の処理を示す。
【０１０３】
停電検出及び復帰タイミングＤ１〜Ｄ１５で停電が検出された場合には、特別図柄表示装置４７の特別図柄と、背景と、キャラクタとを表３に示す復帰タイミングで、復帰する。なお、表３には該当する停電検出及び復帰タイミングＤ１〜Ｄ１５を記入してある。
【０１０４】
【表３】
0003879616.tif 000004
【０１０５】
上述した停電検出及び復帰タイミングＤ１〜Ｄ１５において、停電が検出された場合には、特別図柄表示装置４７は、特別の処理を行わずに、電源電圧の低下に従って表示を停止する。
また、停電検出及び復帰タイミングＤ１〜Ｄ１５に基づいて、停電からの復帰を行う場合には、例えば表４に示すように、停電復帰時の処理を行う。
【０１０６】
【表４】
0003879616.tif 000005
【０１０７】
停電検出及び復帰タイミングＤ１、Ｄ３〜Ｄ１５で停電が検出された場合の停電からの復帰は、表３に示したタイミングで、左・中・右・図柄表示コマンドＣ４，Ｃ５，Ｃ６と、確率表示コマンドと、停電復帰コマンドとを出力する処理を行う。
【０１０８】
又、停電検出及び復帰タイミングＤ２、つまり表３に示した待機中（デモ中）では、左・中・右・図柄表示コマンドＣ４，Ｃ５，Ｃ６と、確率表示コマンドと、デモ画面表示コマンドＣ２とを出力する処理を行う。ここで出力されるデモ画面表示コマンドＣ２は、３０秒毎に繰り返し出力される。これにより、デモ画面表示コマンドＣ２が出力された状態で、停電が発生した場合に、停電からの復帰時に、即デモ画面表示コマンドＣ２を出力することで、特別図柄表示装置４７の図柄が正常時の図柄に迅速に戻されることになる。尚、このデモ画面表示コマンドＣ２は、所定時間毎（例えば、３０秒毎）に主基板１から出力されている。これは、図柄制御手段において、デモ画面表示コマンドＣ２の入力の失敗に対する対策である。
【０１０９】
この様にコマンドを出力し、停電検出及び復帰タイミングＤ１〜Ｄ１５に基づいて、停電からの復帰を行った場合には、特別図柄表示装置４７の特別図柄と、背景と、キャラクタとは、表５に示す状態にされるよう図柄制御基板７が構成されている。
【０１１０】
【表５】
0003879616.tif 000006
【０１１１】
なお、通常時における確率表示コマンドは、大当り終了インターバルコマンドＣ１３と一緒に送信される。また、これに替えて、大当り終了インターバルコマンドＣ１３を高確率用、低確率用の２種類用意して送信するようにしても良い。この様に大当り終了インターバルコマンドＣ１３を高確率用、低確率用の２種類用意して送信することで、コマンドの送信回数が低減される。
【０１１２】
また、遊技機５の異常状態においては、表２に示すように、通常状態では、「エラー中」と表示し、表５に示すように、停電復帰時には、「停電復帰中」と表示するが、上述したように所定時間毎（ここでは３秒毎）に送信される異常に関するコマンドを、図柄制御基板７が正常に受信すると、再び、「エラー中」の表示が再開され、「停電復帰中」の表示は消滅される（表３参照）。尚、異常に関するコマンドを所定時間毎（３秒毎）に送信するのは、図柄制御基板７側の受信の失敗に対する対策である。
【０１１３】
また、表５中の特別図柄の欄で、「表示なし」と示しているが、表４に示すように、停電から復帰する際には、左・中・右図柄表示コマンドを出力しているため、図柄制御基板７の内部では、図柄情報として復帰は行われている。よって、いつでも、遊技にとって最も重要である図柄を表示させることができるため、ここでは、「表示なし」に限る場合でなく、「表示有り」又は「即復帰」でも良い。
【０１１４】
次に、特別図柄表示装置４７における具体的表示状態の例を複数示して、停電からの復帰時の処理の例を説明する。
図９は、例えば大当り中でラウンド１における大入賞開放時コマンドＣ９受信後に停電し、復帰する場合（タイミングＤ１０）を示し、停電からの復帰時に特別図柄表示装置４７が表示する図柄を示す。また、図９では、停電からの復帰処理が完全に完了するまで、「停電復帰中」の表示を行う例を示す。停電からの復帰時、即ち停電復帰時には、表４に基づいて既述したように左・中・右・図柄表示コマンドＣ４、Ｃ５、Ｃ６、確率表示コマンドと、停電復帰コマンドかデモ画面表示コマンドＣ２の何れかとが主基板１から図柄制御基板７に出力される。
【０１１５】
表示３１１は、主基板１のＳ１７０（図５参照）の停電復帰処理によって、出力された停電復帰コマンドを図柄制御基板７が受信したときに特別図柄表示装置４７が表示する「停電復帰中」表示３１３を示す。
表示３１５は、停電復帰コマンドの次に、表示の１部が復帰するコマンドである大当り図柄表示コマンドＣ１０を受信したときの特別図柄表示装置４７の表示状態を示す。ここでは、「停電復帰中」表示３１７だけが表示されている。
【０１１６】
表示３１９は、大当り図柄表示コマンドＣ１０の次に、表示の１部が復帰するコマンドであるＶ表示コマンドＣ１１を受信したきの特別図柄表示装置４７の表示状態を示す。ここでは、「停電復帰中」表示３２１だけが表示されている。
表示３２３は、Ｖ表示コマンドＣ１１の次に、表示が完全に復帰するコマンドであるラウンド間インターバルコマンドＣ１２を受信したときの特別図柄表示装置４７の表示状態を示す。ここでは、「停電復帰中」表示３２５だけが表示されている。なお、表示が完全に復帰するコマンドを受信したときに「停電復帰中」表示３２５を消すように図柄制御基板７が構成されている場合には、「停電復帰中」表示３２５が消され、ラウンド間インターバル表示が行われる。
【０１１７】
表示３２７は、ラウンド間インターバルコマンドＣ１２の次に、ラウンド２における大入賞開放時コマンドＣ９を受信したときの特別図柄表示装置４７の表示状態を示す。ここでは、ラウンド２における大入賞開放時コマンドＣ９を入力することによって、遊技状態が完全に復帰した状態になったと判断して「停電復帰中」表示３２５が消され、ラウンド数表示３２９と、キャラクタ表示３３１とが表示される。尚、前記遊技状態が完全に復帰した状態とは、本実施例では、図８における各区間の最初のコマンドを入力したときを示す。
【０１１８】
図１０は、例えば、大当り中で、ラウンド１における大入賞開放時コマンドＣ９受信後、停電し、復帰する場合（タイミングＤ１０）を示し、停電からの復帰時に特別図柄表示装置４７が表示する図柄を示す。図１０も、図９と同様で停電から復帰処理が完全に完了するまで、「停電復帰中」と表示する例を示す。
【０１１９】
表示３５１は、停電復帰コマンドを図柄制御基板７が受信したときに特別図柄表示装置４７が表示する「停電復帰中」表示３５３を示す。
表示３５５は、停電復帰コマンドの次に、表示の１部が復帰するコマンド（複数のコマンドで正常状態に戻るコマンド）である大当り図柄表示コマンドＣ１０を受信しているときに特別図柄表示装置４７の表示状態を示す。ここでは、「停電復帰中」表示３５７と、大当り図柄表示３５９とが表示されている。
【０１２０】
表示３６１は、大当り図柄表示コマンドＣ１０の次に、表示の１部が復帰するコマンドであるＶ表示コマンドＣ１１を受信しているときに特別図柄表示装置４７の表示状態を示す。ここでは、「停電復帰中」表示３６７と、大当り図柄表示３６３と、Ｖ表示３６５とが表示されている。
【０１２１】
表示３７１は、Ｖ表示コマンドＣ１１の次に、表示が完全に復帰するコマンドであるラウンド間インターバルコマンドＣ１２を受信したときの特別図柄表示装置４７の表示状態を示す。ここでは、図柄が完全復帰できないため、「停電復帰中」表示３７３と、大当り図柄表示３７５と、Ｖ表示３７７と、インターバル表示３７９とが表示されている。
【０１２２】
表示３８１は、ラウンド２における大入賞開放時コマンドＣ９を受信したときの特別図柄表示装置４７の表示状態を示す。ここでは、遊技状態が完全復帰されるため、「停電復帰中」表示３７３が消され、ラウンド数表示３８３と、キャラクタ表示３８５とが表示されている。
【０１２３】
図１１は、停電からの復帰時に特別図柄表示装置４７が表示する図柄を示し、停電からの復帰時に、もう１度最初からラウンド１のアニメーションを表示すると共に、復帰処理中に入力したコマンドに対応する図柄をそのまま表示する例を示す。また、１つのコマンドで図柄を完全復帰できるコマンドを受信することにより、即ち、図柄の表示状態が完全に復帰されると、「停電復帰中」の画面を消滅させる例を示す。
【０１２４】
表示４０１は、停電復帰コマンドと、大入賞開放時コマンドＣ９とを図柄制御基板７が受信したときに特別図柄表示装置４７が表示する「停電復帰中」表示４０３と、ラウンド数表示４０５と、キャラクタ表示４０７とを示す。
表示４１１は、停電復帰コマンドの次に、表示の１部が復帰するコマンドである大当り図柄表示コマンドＣ１０を受信しているときの特別図柄表示装置４７の表示状態を示す。ここでは、「停電復帰中」表示４１３と、大当り図柄表示４１５と、ラウンド数表示４１７と、キャラクタ表示４１９とが表示されている。
【０１２５】
表示４２１は、大当り図柄表示コマンドＣ１０の次に、表示の１部が復帰するコマンドであるＶ表示コマンドＣ１１を受信しているときの特別図柄表示装置４７の表示状態を示す。ここでは、「停電復帰中」表示４２３と、大当り図柄表示４２５と、Ｖ表示４２７と、ラウンド数表示４２９と、キャラクタ表示４３１とが表示されている。
【０１２６】
表示４４１は、Ｖ表示コマンドＣ１１の次に、表示が完全に復帰するコマンドであるラウンド間インターバルコマンドＣ１２を受信しているときの特別図柄表示装置４７の表示状態を示す。ここでは、「停電復帰中」表示４２３が消滅し、大当り図柄表示４４５と、Ｖ表示４４７と、インターバル表示４４９と、ラウンド数表示４５１と、キャラクタ表示４５３は表示されている。
【０１２７】
表示４６１は、ラウンド間インターバルコマンドＣ１２の次に、ラウンド２における大入賞開放時コマンドＣ９を受信したときの特別図柄表示装置４７の表示状態を示す。ここでは、ラウンド数表示４６３と、キャラクタ表示４６５とが表示されている。
【０１２８】
図９、図１０、図１１の表示例は、それぞれ図柄制御基板７がこの様な態様で表示するように構成されている場合の例である。
なお、図３、図４で示した電源基板１５の起動と停止のタイミングチャート、停電時のタイミングチャートの説明で記した時間等は、各遊技機の各処理能力に合わせて適宜変更されても良い。
【０１２９】
又、既述した図８の遷移図、表１、及び表４によって説明した構成に替えて、以下に説明するようにリミッターの回数（スタート又は大当り）に関する確率変動終了指定コマンドＣ７１を出力する構成に停電復帰中表示を行う構成としても良い。
【０１３０】
確率変動終了指定コマンドＣ７１を出力する構成では、表１及び図８に示す図柄確定表示コマンドＣ７の後に来るように構成され、図１２に示す通りである。尚、図１２は便宜上、図柄確定表示コマンドＣ７の周辺の構成のみを示している。該確率変動終了指定コマンドＣ７１は、図８の二重丸印３０３で示した、表示が完全に復帰するコマンドである。
【０１３１】
この場合、停電検出及び復帰タイミングは、図柄確定表示コマンドＣ７と確率変動終了指定コマンドＣ７１の間を、停電検出及び復帰タイミングＤ７１とし、その他は、基本的に図８と同じである。尚、該停電検出及び復帰タイミングＤ７１の停電復帰する際の処理は、Ｄ３及びＤ７、Ｄ８と同じである。
【０１３２】
また、図８の停電検出及び復帰タイミングＤ３及びＤ８、また、図１２の停電検出及び復帰タイミングＤ７１における停電復帰する際の処理は、既述した通りだが、図柄確定表示コマンドＣ７も一緒に出力して良い。この様に構成することにより、図柄を確実に所定時間、確定させることができる。
【０１３３】
また、本実施例では、「停電復帰中」と表示させたが、「停電復帰中」の旨が分かる構成なら本発明の技術思想に含まれると介する。
また、本実施例では、大当りのときに関するもの（実施例では、区間４に関するもの）であったが、当然、それ以外の遊技状態でも同様である。
【０１３４】
また、図８における各区間の設定の仕方は、本実施例に限る場合だけでなく、その他でも良い。
次に特許請求の範囲の構成と、発明の実施の形態との対応を説明する。
なお、従属する部分に関しては、記載を省略する。
【０１３５】
請求項１の遊技制御手段は、主基板１、図柄制御手段は、図柄制御基板７、電源供給開始検出手段は、図５の主制御処理が起動され、Ｓ１１０のＲＡＭ正常かの判断で、正常と判断されるか否かで、正常であると判断されること、停電復帰信号出力手段は、Ｓ１６０、Ｓ１７０によって、停電復帰コマンドを主基板１から出力する構成、停電復帰中報知手段は、Ｓ１６０、Ｓ１７０によって、停電復帰コマンドを主基板１から図柄制御基板７に送信し、特別図柄表示装置４７に停電復帰中の表示を行うこと、信号記憶手段は、Ｓ３７０に関連して説明した停電が発生したときに、図柄制御基板７へ出力したコマンドと、これから出力するコマンドをＲＡＭ１７にバックアップ記憶することに対応する。停電復帰信号出力手段が停電復帰信号を出力した場合に、電源の供給が停止する直前に、信号記憶手段に記憶された信号がデモンストレーション図柄に関する信号の場合には、即、図柄制御手段にデモンストレーション図柄を表示させるデモンストレーション図柄表示信号を出力し、その後、所定時間毎に出力するデモンストレーション図柄表示信号出力手段は、主基板１が所定時間毎（例えば３０秒毎）にデモ画面表示コマンドＣ２を図柄制御基板７に出力するよう構成されていることが対応する。
【０１３６】
【０１３７】
【０１３８】
【０１３９】
【０１４０】
【０１４３】
【０１４４】
【０１４５】
【０１４６】
【０１４７】
表３によって示される停電からの復帰タイミングと、請求項が示す技術思想とのとの対応関係は、以下の通りである。
【０１４８】
停電からの復帰が即実行される待機中（デモ中）は、請求項１の技術思想が対応する。
【０１４９】
【０１５０】
【０１５１】
【図面の簡単な説明】
【図１】  主基板１と、賞球制御基板３と、図柄制御基板７と、音声制御基板９、電飾制御基板１１、発射制御基板１３と電源基板１５との間のインタフェースに関するブロック図である。
【図２】  遊技機５の電気制御系のブロック図である。
【図３】  電源基板１５の起動と停止のタイミングチャートである。
【図４】 電源基板１５の停電時のタイミングチャートである。
【図５】  電源投入時、又は停電の復帰時に主基板１によって実行される主制御処理ルーチンのフローチャートである。
【図６】  ＭＰＵ７１にてタイマＩＮＴ（２ｍｓ）が発生した場合に、主基板１によって、通常、実行されるタイマＩＮＴ処理ルーチンのフローチャートである。
【図７】  主基板１のＭＰＵ７１のＮＭＩ処理ルーチンのフローチャートである。
【図８】  区間０〜区間５におけるコマンドの遷移の状態を示す遷移図である。
【図９】  停電からの復帰時に特別図柄表示装置４７が表示する図柄の推移の説明図である。
【図１０】  停電からの復帰時に特別図柄表示装置４７が表示する図柄の推移の説明図である。
【図１１】  停電からの復帰時に特別図柄表示装置４７が表示する図柄の推移の説明図である。
【図１２】  確率変動終了指定コマンドＣ７１を出力する場合の遷移の状態を示す遷移図である。
【符号の説明】
１…主基板、３…賞球制御基板、５…遊技機、
７…図柄制御基板、９…音声制御基板、１１…電飾制御基板、
１３…発射制御基板、１５…電源基板、１６…入力ＳＷ、
１７、１９…ＲＡＭ、１８…出力ソレノイド（出力ＳＯＬ）、
２１…盤用外部端子板、２３…補給球不足ＳＷ、２５…下受け皿満杯ＳＷ、
３１…賞球ＳＷ、３３…貸球ＳＷ、３５…賞球モータ制御ＳＷ、
３７…賞球モータ、３９…振分ＳＯＬ、４１…枠用外部端子板、
４３…金枠開放ＳＷ、４５…内枠開放ＳＷ、４６…状態表示器、
４７…特別図柄表示装置、４９…普通図柄表示装置、５１…スピーカ、
５３…電飾、６１…タッチプレート、６３…発射停止ＳＷ、
６５…発射モータ、１２１…賞球数異常復帰ＳＷ、
１２３…停電信号発生回路、１２５…リセット信号（Ａ）発生回路、
１２７…主基板及び賞球制御基板用電源作成回路（＋５Ｖ（Ａ）  ＋１２Ｖ（Ａ）  バックアップ電源）、１２９…リセット信号（Ｂ）発生回路、
１３１…制御基板用電源作成回路（＋５Ｖ（Ｂ）  ＋１２Ｖ（Ｂ））、
１３３…電源作成回路（＋３２Ｖ）、
１４１、１８４…システムリセット回路、
１４３…停電信号受信回路、１４５…賞球数異常復帰信号受信回路、
１４７…ポート回路、１４９…ストローブ信号送信回路、
１５０…データ信号送信回路、１５１、１８９…ＲＥＳＥＴ端子、１５３…ＮＭＩ端子、１５５、１５７、１９３…ＰＯＲＴ端子、
１５９…ＤＡＴＡ端子、１８５…ストローブ信号受信回路、１８７…データ信号受信回路、１９１…ＩＮＴ端子、３０１…丸印、３０３…二重丸印、
３０５…破線丸印、３０７…菱形印、
３１１、３１３、３１５、３１７、３１９、３２１、３２３、３２５、３２７、３５１、３５３、３５５、３５７、３６１、３６７、３７１、３７３、３７１、３７３、３８１、４０１、４０３、４１１、４１３、４２１、４２３、４４１、４６１…表示
３５９、３６３、３７５、４１５、４２５、４４５…大当り図柄表示、
３６５、３７７、４２７、４４７…Ｖ表示、
３７９、４４９…インターバル表示、
３８５、４０７、４１９、４３１、４５３、４６５…キャラクタ表示、
４０５、４１７、４２９、４５１、４６３…ラウンド数表示、
ＢＫＷ…バックアップ電源線、ＤＧＷ（Ａ）、ＤＧＷ（Ｂ）…電源供給線、ＲＳＷ…リセット信号線、ＴＳＷ…停電信号線
【図１】
0003879616.tif 000007
【図２】
0003879616.tif 000008
【図３】
0003879616.tif 000009
【図４】
0003879616.tif 000010
【図５】
0003879616.tif 000011
【図６】
0003879616.tif 000012
【図７】
0003879616.tif 000013
【図８】
0003879616.tif 000014
【図９】
0003879616.tif 000015
【図１０】
0003879616.tif 000016
【図１１】
0003879616.tif 000017
【図１２】
0003879616.tif 000018